(57)【要約】【解決すべき課題】従来産業廃棄物として処理されていた種皮を原料とした新規抗酸化剤を提供する。【解決手段】黒ピーナツ種皮から極性溶媒で抽出して得られるアントシアニンとカテキン類とを含んでなる種皮抽出物。【選択図】図１
2007326966.tif 000002
【特許請求の範囲】
【請求項１】
黒ピーナツ種皮から極性溶媒で抽出して得られるアントシアニンとカテキン類とを含んでなる種皮抽出物。
【請求項２】
極性溶媒が水であることを特徴とする請求項１に記載の種皮抽出物。
【請求項３】
水の温度が５〜５０℃の範囲にあることを特徴とする請求項２に記載の種皮抽出物。
【請求項４】
カテキン類が、エピカテキンガレートであることを特徴とする請求項１〜３に記載の種皮抽出物。
【請求項５】
アントシアニンが、シアニジン−３−ルチノシド、シアニジン−３−キシロールルチノシド、シアニジン−３−グルコシルルチノシドからなる群から選ばれる１種以上の化合物であることを特徴とする請求項１〜４に記載の種皮抽出物。
【請求項６】
請求項１〜５に記載の黒ピーナツ種皮抽出物を含む抗酸化剤。
【請求項７】
請求項６に記載の抗酸化剤を含む食品類。
【請求項８】
食品類が食物、飲料、栄養補給剤からなる群から選ばれる１種であることを特徴とする請求項７に記載の食品類。
【発明の詳細な説明】
【技術分野】
【０００１】
本発明は黒ピーナツ抽出物、及び該抽出物を含む抗酸化剤に関する。
【背景技術】
【０００２】
食品業界においては、食品に使用できない部分は産業廃棄物として莫大な経費をかけて処分している。ピーナツ産業においてもピーナツ種皮や殻が産業廃棄物として大量に排出されており、これらの有効利用が望まれている。
【０００３】
近年、ピーナツ種皮についてはその成分分析および有効性の研究が行われ、ピーナツ種皮にはポリフェノールの一種であるプロアントシアニジンが含まれていることが報告されている（非特許文献１）。また、ピーナツ種皮には抗酸化作用や造血機能回復効果があることが報告されている（非特許文献１、特許文献１）。そのため、ピーナツ種皮抽出物の健康食品としての検討が進められている。
【０００４】
（先行文献）
【非特許文献１】http://homepage2.nifty.com/suzuichi/kenko.htm
【特許文献１】特開平１０−１２０５８８号公報
【発明の開示】
【発明が解決しようとする課題】
【０００５】
本発明者らの研究によれば、一般のピーナツ種皮の抽出物はカテキン類を主成分としている。カテキン類は、緑茶等に含まれ、高い抗酸化作用を示すことが知られている。しかし、カテキン類は苦味と渋みを呈するため、食品添加剤等の用途に対しては単独では使用しにくく、他の甘味料と併用して使用されている。抗酸化作用が同等で、かつ苦味と渋みの度合が低ければ用途展開が広がると考えられる。そこで、本発明の目的は、優れた抗酸化作用を有するとともに苦味と渋みの度合が低減された新規材料を提供することにある。本発明の他の目的は従来廃棄されていた材料の有効利用を図ることにある。
【課題を解決するための手段】
【０００６】
すなわち、本発明は（１）黒ピーナツ種皮から極性溶媒で抽出して得られるアントシアニンとカテキン類とを含んでなる種皮抽出物である。
【０００７】
（２）極性溶媒は、水であることが好ましい。
（３）水の温度は、５〜５０℃の範囲にあることが好ましい。
（４）上記カテキン類は、エピカテキンガレートであり、また、
（５）上記アントシアニンは、シアニジン−３−ルチノシド、シアニジン−３−キシロールルチノシド、シアニジン−３−グルコシルルチノシドからなる群から選ばれる１種以上の化合物である。
【０００８】
本発明はまた（６）上記黒ピーナツ種皮抽出物を含む抗酸化剤である。
【０００９】
本発明はまた（７）上記抗酸化剤を含む食品類である。
【００１０】
（８）上記食品類は、食物、飲料、栄養補給剤からなる群から選ばれる１種であることが好ましい。
【発明の効果】
【００１１】
本発明によれば、従来廃棄されていた材料の有効利用を図ることができる。また、本発明によれば、ポリフェノール、特にカテキン類とアントシアニンとを高濃度に含有し、高い抗酸化作用、例えばラジカル消去能、及び脂質過酸化阻止能がある。従って、美容、健康増進、健康維持、老化防止、生活習慣病の予防、治療に役立つと考えられる。また抗酸化作用を有する成分としてカテキン類のみでなくアントシアニンを含むため、苦味と渋みの度合が低減された抗酸化剤、その抗酸化剤を含む食品類を提供することができる。
【発明を実施するための最良の形態】
【００１２】
本発明について詳しく説明する。本発明では原料として黒ピーナツを用いる。黒ピーナツは、学名がArachis hypogeaea L、別名が黒落花生で、現在中国でのみ生産されている。その種皮は一般のピーナツが茶色であるのに対し、図１に示したように黒褐色を示す。
【００１３】
本発明においては、抽出用原料として黒ピーナツの種皮を用いる。黒ピーナツ種皮から抽出物を得る方法としては、例えば黒ピーナツをそのまま抽出剤とともにジューサー等で撹拌処理することにより抽出物を得ることができるが、黒ピーナツから食品用に種を取り出した後に残された種皮のみを抽出用原料として用いることが廃棄物利用の点から好ましい。種皮はむいた状態で抽出に供してもよいし、抽出効率を上げるため、種皮を粉砕した後に供することもできる。
【００１４】
本発明の黒ピーナツ種皮抽出物を得るためには、黒ピーナツ種皮を極性溶媒を用いて抽出する。極性溶媒としては、水、メチルアルコール、エチルアルコール、ｎ−プロピルアルコール、イソプロピルアルコール、ブチルアルコール等の低級アルコール、酢酸メチル、酢酸エチル、酢酸プロピル、酢酸ブチル等の低級エステル、アセトン、メチルイソブチルケトン等を用いることができ、これらの極性溶媒を単独又は適宜組み合わせて用いることができる。これらの中では、水、エタノール又はこれらの混合物を用いることが好ましい。特に水が安価でかつ安全性の点から好ましい。抽出溶媒は、黒ピーナツ種皮１kg当り通常５〜２５Ｌの範囲で用いることができる。
【００１５】
本発明で黒ピーナツ種皮抽出する際の抽出温度は、通常０℃〜１００℃、好ましくは、２〜６０℃、特に好ましくは５℃〜４０℃の範囲内である。抽出温度が高すぎると抽出物が褐変し、かつ酸化防止効果が低下するため好ましくない。また、抽出時間は、抽出温度等により異なるが、通常１分間〜２４時間、好ましくは１０分間〜１０時間、特に好ましくは２０分〜１時間である。  
【００１６】
上記の方法で黒ピーナツ種皮から抽出された抽出物は、主成分としてポリフェノール類を大量に含有している。本発明の黒ピーナツ種皮抽出物は、ポリフェノール類の中の特にカテキン類とアントシアニンとを含有している。黒ピーナツ種皮１００重量部からの抽出物の量は、通常１０〜２０重量部程度であり、また黒ピーナツ抽出物１００重量部当りのカテキン類の含量は通常４０〜７０重量部の範囲で、かつアントシアニンは通常５〜１５重量部の範囲にある。  
【００１７】
本発明の黒ピーナツ抽出物はそのまま、あるいは濃縮して、更に粉末化して用いることが出来る。抽出物粉末は濃縮液を噴霧乾燥もしくは凍結乾燥処理することにより得ることができる。
【００１８】
本発明におけるカテキン類とは、ポリフェノールの１種であるフラボノイドの１種で、具体的には、カテキン、エピカテキン、ガロカテキン、エピガロカテキン、カテキンガレート、エピカテキンガレート、エピガロカテキンガレート、ガロカテキンガレート等をいう。本発明の黒ピーナツ種皮抽出物には、上記カテキン類のうち特にエピカテキンガレートが最も多く含まれている。
【００１９】
本発明におけるアントシアニンは、フラボノイドの一種であり、アグリコン成分と配糖体とが結合してなる化合物である。更に糖に有機酸が結合してなる構造体を含む。本発明の黒ピーナツ種皮抽出分に含有されるアントシアニン成分では、アグリコン成分はシアニジンが主成分であり、かつ配糖体はグルコース、キシロース、ラムノース、アラビノースでありうる。上記アグリコン成分と配糖体とが結合したアントシアニンとしては、具体的には、シアニジン−３−ルチノシド、シアニジン−３−キシロールルチノシド、シアニジン−３−グルコシルルチノシド、シアニジン−３−ソホロシド、シアニジン−３−サンブビオシド等でありうる。
【００２０】
本発明の抽出物は実施例に示すようにラジカル消去能、及び脂質過酸化阻止能等の優れた抗酸化作用を示すため、そのまま、あるいは食品等の材料に配合して他の成分と混合して抗酸化剤として使用することができる。
【００２１】
本発明の抗酸化剤をそのまま単独で摂取する際には、抽出物の粉末をそのまま食品等に振り掛けるか、あるいは、水またはお湯に溶解させて摂取することができる。水またはお湯に溶解させるにはテイバッグのようなものに抽出物粉末を分包して使用することができる。抽出物は粉末でなく濃縮物を用いることもできる。
【００２２】
本発明の抗酸化剤は、食品等に添加して用いることが好ましい。本発明で食品等とは具体的には、食物、飲料、または栄養補強剤等をいう。本発明の抗酸化剤は、これらの抗酸化性能を高めることができる。
【００２３】
本発明の抗酸化剤を配合して効果のある食物としては、例えば、うどん、そば、パスタ等の麺類、パン等、生菓子、おしるこ、ぜんざい、みつまめ等の甘味食物、アイスクリーム、ソフトクリーム等の冷菓、豆腐、コンニャク、カンテン、トコロテン、ゼリー、羊羹等、スナック菓子等を挙げることができる。
【００２４】
本発明における飲料としては、例えば、乳酸菌飲料、果汁飲料、野菜飲料、茶系飲料、清涼飲料、アルコール飲料、コーヒー、乳製品飲料等を挙げることができる。
【００２５】
茶系飲料としては、緑茶、烏龍茶、紅茶、グアバ葉茶、ジャスミン茶等を挙げることができる。また、果汁飲料としては、りんご、ぶどう、梨、桃、いちご、柿、みかん、ブルーベリー等、野菜飲料としては、例えば、トマト、ニンジン、セロリ、キュウリ等の野菜汁飲料を挙げることができる。
【００２６】
本発明の抗酸化剤は他の成分とともに栄養補強剤の１成分として使用することができる。栄養補強剤として本発明の抗酸化剤と混合可能な材料としては、例えば、ビタミンＡ、ビタミンＣ、ソルビン酸等のビタミン類、界面活性剤、甘味料、無機金属塩類、ｐＨ調整剤、香料、賦形剤、結合剤、着色剤等を挙げることができる。
【００２７】
上記界面活性剤の具体例としては、大豆レシチン、ショ糖脂肪酸エステル、ポリオキシエチレン硬化ヒマシ油、ポリオキシエチレン・ポリオキシプロピレングリコール、グリセリンモノグリセリンモノ脂肪酸エステル、ラウリル硫酸ナトリウム、ソルビタン脂肪酸エステル、プロピレングリコール脂肪酸エステル、レシチン、ポリオキシエチレン高級脂肪族アルコール等を挙げることができる。
【００２８】
本発明の抗酸化剤には甘味料を配合することができる。本発明において配合することのできる甘味料としては、例えば、マンノース、果糖、葡萄糖、糖蜜、砂糖、乳糖、ぶどう糖、麦芽糖、デキストリン等の糖類を挙げることができる。
【００２９】
（無機金属塩類）
本発明の抗酸化剤には無機金属塩を配合することができる。この無機金属塩として用いることのできる金属としては、例えば、カリウム、ナトリウム、マグネシウム、カルシウム、亜鉛、クロム、マンガン、アルミニウム、鉄等を挙げることができる。また無機金属塩としては、具体的には、塩化カリウム、硫酸カリウム、燐酸カリウム、炭酸カリウム、塩化ナトリウム、硫酸ナトリウム、燐酸ナトリウム、炭酸ナトリウム、塩化マグネシウム、硫酸マグネシウム、燐酸マグネシウム、炭酸マグネシウム、塩化カルシウム、硫酸カルシクム、燐酸カルシウム、炭酸カルシクム、塩化亜鉛、硫酸亜鉛、燐酸亜鉛、炭酸亜鉛、塩化アルミニウム、硫酸アルミニウム、燐酸アルミニウム、炭酸アルミニウム、塩化鉄、硫酸鉄、燐酸鉄、炭酸鉄等を挙げることができる。
【００３０】
本発明の抗酸化剤に用いることのできる賦形剤としては、例えばゼラチン、アルギン酸ナトリウム、澱粉、コーンスターチ、白糖、乳糖、ぶどう糖、マンニット、カルボキシメチルセルロース、デキストリン、ポリビニルピロリドン、結晶セルロース、大豆レシチン、卵黄レシチン、ショ糖脂肪酸エステル、タルク、ステアリン酸マグネシウム、ポリエチレングリコール、ケイ酸マグネシウム、無水ケイ酸等を挙げることができる。    
【００３１】
本発明の抗酸化剤に用いることのできる結合剤としては、例えば、セルロース、メチルセルロース、ヒドロキシプロピルセルロース、ヒドロキシプロピルメチルセルロース、エチルセルロース、カルボキシメチルエチルセルロース、ヒドロキシエチルセルロース、コムギデンプン、コメデンプン、トウモロコシデンプン、バレイショデンプン、デキストリン、スターチ、プルラン、ポリビニルピロリドン、メタクリル酸コポリマー、ポリビニルアルコール、アラビアゴム、アラビアゴム末、寒天、ゼラチン、白色セラック、トラガント、精製白糖等を挙げることができる。
【実施例】
【００３２】
次に実施例を挙げて本発明につき更に詳しく説明するが、本発明がこれらの実施例になんら制約されるものではない。なお、本発明の実施例では、黒ピーナツ抽出物の成分、及び性能の評価は、次の方法により行った。
【００３３】
（総ポリフェノール量の定量）
総ポリフェノール量は、フォーリン・チオカルトー法により定量した。サンプル１ｍｇを試験管に採取し、脱イオン水５ｍＬに溶解した。この溶液１ｍＬを採り、更に脱イオン水４ｍＬを加えて希釈した。この希釈した溶液１ｍＬをとり、これに５０％フェノール溶液１ｍＬを添加し、１０秒間撹拌した。その後１０％炭酸ナトリウム溶液１ｍＬを添加し、１０秒間撹拌後１時間静置した。次いで卓上遠心分離機で遠心分離し、その上清を分光光度計（日立製、機種U-1100）で７５０ｎｍの吸収値を測定した。この吸収値をＡsampleとした。また、ブランクとしてサンプルの代わりに脱イオン水を用いた吸収値Ａblankを求めた。没食子酸溶液で求めた標準曲線から下記（１）式で総ポリフェノール量を算出し、没食子酸当量にて表示した。
【００３４】
【数１】
2007326966.tif 000003
【００３５】
（総フラバン量の定量）
総フラバン量は、バニリン−硫酸法を用いて行った。サンプル２ｍｇをガラス試験管に秤量し、５０％エタノール５ｍＬに溶解した。この溶液１ｍＬに更に５０％エタノール４ｍＬを加え希釈した。この希釈サンプル０．５ｍＬに５０％エタノール１ｍＬを加え、これに分注器を用いて１％バニリン硫酸３ｍＬを添加し、２０秒間撹拌後、２０秒間氷水中で冷却した。その後室温に放置後分光光度計（日立製、機種U-1100）で５００ｎｍの吸収値を測定した。この吸収値をＡsample、ブランク１としてサンプルの代わりに５０％エタノールを用いた吸収値をＡblank1、ブランク２として１％バニリン−硫酸の代わりに７０％硫酸を用いた吸収値Ａblank2とした。また、総フラバン量は、下記（２）式より総フラバン量を算出し、（＋）−カテキン溶液で同様の方法で求めた標準曲線から（＋）−カテキン当量で表した。
【００３６】
【数２】
2007326966.tif 000004
【００３７】
（アントシアニンの定量）
アントシアニン含量は、次の方法を用いて行った。サンプル１ｍｇをガラス試験管に秤量し、１％塩酸メタノール２ｍＬに溶解した。この溶液０．５ｍＬに更に１％塩酸メタノール３ｍＬを加え希釈した。この希釈サンプルを分光光度計（日立製、機種U-1100）で５３０ｎｍの吸収値を測定した。ブランクとしてサンプルの代わりに１％塩酸メタノールの吸収値を求めた。シアニジン−３−グリコキシド溶液で同様の方法で標準曲線求めた。下記（３）式よりアントシアニン量を算出し、シアニジン−３−グリコキシド当量で表した。
【００３８】
【数３】
2007326966.tif 000005
【００３９】
（色調評価）
サンプル１０ｍｇをガラス試験管に秤量し、ｐHを調整したマクベイン氏緩衝液５ｍＬに溶解し、色差計（日本電色工業製ＺＥ２０００）を用いてハンター値（ａ及びｂ）を測定して評価した。
【００４０】
（褐変度）
サンプル１０ｍｇをマクベイン氏緩衝液５ｍＬに溶解し、分光光度計（日立製作所製U-1100）を用いて４２０ｎｍの吸収値（Abs.420）と５３０ｎｍの吸収値（Abs.530）を測定し、（Abs.420）/（Abs.530）で算出した。
【００４１】
（ラジカル消去能）
ラジカル消去能はＤＰＰＨ（1,1-diphenyl-2-picrylhydrazyl）のラジカルに対する消去能を測定することで評価した。サンプル１ｍｇをガラス試験管に秤量し、５０％エタノール５ｍＬに溶解した。この溶液から、０、０．０１、０．０２、０．０５、０．１０および０．２０mg/mLの濃度の溶液を作成した。この溶液０．３ｍＬに４００μＭＤＰＰＨ、０．２ＭＭＥＳ緩衝液および５０％エタノール液を等量混合した混合液０．９ｍＬを加え、１０秒間激しく撹拌後、１１０秒間静置した。その後、分光光度計（日立製、機種U-1100）で５２０ｎｍの吸収値を測定した。この吸収値をＡsampleとした。コントロールとしてサンプルの代わりに５０％エタノールを用いた吸収値を測定し、A controlとした。また、ブランクとして０．２ＭＭＥＳ緩衝液および５０％エタノール液を等量混合した混合液を用いた吸収値Ａblankを求めた。また、ＤＰＰＨラジカル消去能は△Ａ520＝Ａcontrol−（Ａsample−Ａblank）と下記（４）式より算出し、ＩＣ50値にて評価した。
【００４２】
【数４】
2007326966.tif 000006
【００４３】
（脂質過酸化阻止能）
リノール酸の自動酸化に対する抗酸化能（以下「脂質過酸化阻止能」という。）を、β−カロテン褪色法で行った。すなわち、サンプル１ｍｇをガラス試験管に秤量し、５０％エタノール２ｍＬに溶解した。この溶液から、０、０．０１、０．０５、０．１０、０．２０および０．５０mg/mLの濃度の溶液を作成した。この溶液０．１ｍＬにリノール酸−β−カロチンエマルジョン４．９ｍＬを加え、１０秒間激しく撹拌後、分光光度計（日立製、機種U-1500）で４７０ｎｍの吸収値を測定した。この吸収値をＡ0とした。その後速やかに溶液を長試験管に戻し、５０℃恒温槽に漬け、３０分間反応させた。反応後再び４７０ｎｍの吸収値を測定した。この吸収値をＡ30とした。これらの吸収値の差Ａ0−Ａ30を△Ａcontrolとした。そして、下記（５）式により脂質過酸化阻止率を算出した。脂質過酸化阻止率は、ＩＣ50値にて評価した。
【００４４】
【数５】
2007326966.tif 000007
【００４５】
実施例で用いた原料の入手先は次ぎのとおり。
（黒ピーナツ）
Ａ社から提供していただいた黒ピーナツ（中国産）を用いた。
【００４６】
（実施例１）
（抽出用原料の準備）
黒ピーナツの種皮は黒ピーナツから手作業で剥き、回収した。回収した種皮を小型ミル・ミキサー内に投入し、３０秒間回転処理することにより粉砕し、粉末化した。黒ピーナツ粉末はサンプル瓶に移し、試験に使用するまで−３０℃で保存した。
【００４７】
（抽出操作）
200mL容三角フラスコに脱イオン水５０mLを加え、予め３０℃で１０分間予熱した。次ぎにこの脱イオン水中に黒ピーナツ種皮粉末０．５ｇを加え、３０分静置して抽出した。抽出は暗所で行った。抽出試験後、固形分を濾紙、ついでメンブレンフイルター（０．４５μｍ、酢酸セルロース）で吸引濾過して除去した。濾液をサンプル瓶に移し、−３０℃にて凍結した。その後、凍結乾燥して固形抽出分を得た。原料種皮１００重量部に対する固形抽出物の重量比は１３重量部であった。
【００４８】
（実施例２〜実施例７）
（抽出温度の影響）
実施例１において、抽出する水の温度を３０℃からそれぞれ５℃、１５℃、４５℃、６０℃、８０℃または１００℃とする以外は実施例１と同様に行った。結果を表１に示す。水の温度が高い程抽出物の量がやや多くなる傾向が認められた。
【００４９】
【表１】
2007326966.tif 000008
【００５０】
（実施例８）
実施例１で得た黒ピーナツの水温３０℃での水抽出物の総ポリフェノール量を上述のフォーリン・チオカルトー法により定量した。結果を表２と図２に示す。
【００５１】
（実施例９〜実施例１４）
（抽出温度の影響）
実施例８において、抽出する水の温度を３０℃からそれぞれ５℃、１５℃、４５℃、６０℃、８０℃または１００℃に変更する以外は実施例８と同様に行った。結果を表２と図２に示す。水温５〜６０℃までは総ポリフェノール量に有意差は認められず、５５０μｇ／ｍｇ（抽出物）程度であるが、水温８０℃および１００℃抽出物では総ポリフェノール量が減少する傾向が認められた。
【００５２】
【表２】
2007326966.tif 000009
【００５３】
（実施例１５）
実施例１で得た黒ピーナツの水温３０℃での水抽出物の総フラバン量を上述のバニリン−硫酸法により定量した。結果を表３と図３に示す。
【００５４】
（実施例１６〜実施例２１）
（抽出温度の影響）
実施例１５において、抽出する水の温度を３０℃からそれぞれ５℃、１５℃、４５℃、６０℃、８０℃または１００℃に変更する以外は実施例１５と同様に行った。結果を表３と図３に示す。水温４５と６０℃において総フラバン量が最も多く、種皮抽出物の２５．８重量％という値になった。水温１００℃抽出物では種皮抽出物中の総フラバン量が減少し、１６．２重量％であった。
【００５５】
【表３】
2007326966.tif 000010
【００５６】
（実施例２２）
実施例１で得た黒ピーナツの水温３０℃での水抽出物のアントシアニン含量を上述の方法により定量した。結果を表４と図４に示す。
【００５７】
（実施例２３〜実施例２８）
（抽出温度の影響）
実施例２２において、抽出する水の温度を３０℃からそれぞれ５℃、１５℃、４５℃、６０℃、８０℃または１００℃に変更する以外は実施例２２と同様に行った。結果を表４と図４に示す。水温８０℃までは水温によるアントシアニン含量に有意差は認められないが、水温１００℃の水抽出物ではアントシアニン含量が減少する傾向が認められた。
【００５８】
【表４】
2007326966.tif 000011
【００５９】
（実施例２９〜実施例３５）
実施例１〜７で得た黒ピーナツの色調の抽出する水の温度による差を見た。結果を表５と図５に示す。水温４５℃までは差が認められないが、水温６０℃以上で次第に黄色化が進み、８０℃以上で黄変が急激に進行する傾向が認められた。
【００６０】
【表５】
2007326966.tif 000012
【００６１】
（実施例３６〜実施例４２）
実施例１〜７で得た黒ピーナツの褐変度の抽出する水の温度による差を見た。結果を表６と図６に示す。水温３０℃までは差が認められないが、水温が４５℃以上では抽出物の褐変が進み、抽出水温が８０℃以上では褐変が急激に進行する傾向が認められた。
【００６２】
【表６】
2007326966.tif 000013
【００６３】
（実施例４３）
（ラジカル消去能）
実施例１で得た黒ピーナツの水温３０℃での水抽出物のラジカル消去能を上述の方法により測定した。結果を表７と図７に示す。
【００６４】
（実施例４４〜実施例４９）
（抽出温度の影響）
実施例４３において、抽出する水の温度を３０℃からそれぞれ５℃、１５℃、４５℃、６０℃、８０℃または１００℃に変更する以外は実施例４３と同様に行った。結果を表７と図７に示す。ラジカル消去能は水温３０℃で最も高く、水温８０℃まではラジカル消去能に有意差は認められないが、水温１００℃ではラジカル消去能が減少する傾向が認められた。
【００６５】
【表７】
2007326966.tif 000014
【００６６】
（実施例５０）
（脂質過酸化阻止能）
実施例１で得た黒ピーナツの水温３０℃での水抽出物の脂質過酸化阻止能を上述のバニリン−硫酸法により定量した。結果を表８と図８に示す。
【００６７】
（実施例５１〜実施例５６）
（抽出温度の影響）
実施例５０において、抽出する水の温度を３０℃のからそれぞれ５℃、１５℃、４５℃、６０℃、８０℃または１００℃に変更する以外は実施例５０と同様に行った。結果を表８と図８に示す。ラジカル消去能と逆に水温が高くなる程脂質過酸化阻止能が高くなる傾向が認められた。
【００６８】
【表８】
2007326966.tif 000015
【産業上の利用可能性】
【００６９】
本発明の黒ピーナツ種皮抽出物は抗酸化作用に優れているため、そのままあるいは他の素材に混合して健康食品、健康飲料、食品類への抗酸化剤、栄養補強剤としての利用が考えられる。
【図面の簡単な説明】
【００７０】
【図１】図１は、本発明の抽出物の原料である黒ピーナツの写真である。
【図２】図２は、本発明の黒ピーナツ種皮抽出物中の、総ポリフェノール量の抽出温度による差を示したグラフである。
【図３】図３は、本発明の黒ピーナツ種皮抽出物中の、総フラバン量の抽出温度による差を示したグラフである。
【図４】図４は、本発明の黒ピーナツ種皮抽出物中の、アントシアニン含量の抽出温度による差を示したグラフである。
【図５】図５は、本発明の黒ピーナツ種皮抽出物の、色調の抽出温度による差を示したグラフである。
【図６】図６は、本発明の黒ピーナツ種皮抽出物の、褐変度の抽出温度による差を示したグラフである。
【図７】図７は、本発明の黒ピーナツ種皮抽出物の、ラジカル消失能の抽出温度による差を示したグラフである。
【図８】図８は、本発明の黒ピーナツ種皮抽出物の、脂質過酸化阻止能の抽出温度による差を示したグラフである。
【図１】
2007326966.tif 000016
【図２】
2007326966.tif 000017
【図３】
2007326966.tif 000018
【図４】
2007326966.tif 000019
【図５】
2007326966.tif 000020
【図６】
2007326966.tif 000021
【図７】
2007326966.tif 000022
【図８】
2007326966.tif 000023